(57)【要約】【課題】ウエブブラウザ上で表示されている電話番号の相手先に簡単に電話をかけることができて、使い勝手の向上を図ること。【解決手段】一般に使用されている電話機１３が接続器６と接続された状態にあるとき、ウエブブラウザ７上に表示されている電話番号９の相手先の電話機へ発呼できるＩＰ電話手段１４を備える。即ち、ＩＰ電話手段１４は、ウエブブラウザ７上に表示されている電話番号９をマウス５のカーソル１２でクリックすると、その電話番号９がハイパーリンク機能によって書き込まれると共に、その電話番号９の相手先の電話機に対し、ホットリンク機能が働くことで電話機１３から電話をかけることができるようになっている。【選択図】  図３
2004266787.tif 000002
【特許請求の範囲】
【請求項１】
コンピュータネットワーク網に接続されたコンピュータと、該コンピュータと接続される電話機とを有し、互いにコンピュータ間でインターネットを行うインターネット通信システムであって、
ウエブアドレス及びメールアドレス上に表示されている電話番号の箇所をクリックした時点で、前記表示されている電話番号の相手先へ前記電話機で発呼するＩＰ電話手段を備えることを特徴とするインターネット通信システム。
【請求項２】
請求項１記載のインターネット通信システムにおいて、
前記ＩＰ電話手段は、前記電話番号の箇所がクリックされた時点で、該電話番号をハイパーリンク機能により書き込むと共に、ホットリンク機能により前記電話番号の相手先にＩＰ電話をかけるように構成されていることを特徴とするインターネット通信システム。
【請求項３】
請求項１または２記載のインターネット通信システムにおいて、
前記電話番号の箇所は、少なくとも電話表記部とそれに続いて表示される番号表記部とからなっていることを特徴とするインターネット通信システム。
【発明の詳細な説明】
【０００１】
【発明の属する技術分野】
本発明は、パーソナルコンピュータを利用してインターネットを行うインターネット通信システムに関するものである。
【０００２】
【従来の技術】
インターネットは、個人は勿論、企業や公共機関等数多くのコンピュータネットワークが相互に接続されることで構築された全世界的なコンピュータネットワーク網である。そして、今日では、パーソナルコンピュータ関係のハードウエアの急速な高速化とその普及により、人類が共有できるインターネットの存在そのものが基盤となりつつあるばかりでなく、便宜上の利点があることから、公私に渡りかなり多用されている。
【０００３】
このようなインターネット通信ができるようにセットアップされたパーソナルコンピュータ（以下、ＰＣと略称す）にあっては、インターネットプロトコル（ＩＰ）アドレスが認識されることで、ウエブ（Ｗｅｂ）ブラウザ上でホームページを見たり、またメールを送受信できるようになっており、例えばホームページ上に表示されているウエブアドレスをクリックすると、そのアドレスのホームページ上に移行することができ、更にはウエブメールにより、ホームページ上のメールアドレスやメール上に表示されているメールアドレスをクリックすると、メールの読み書きが可能となっている。
【０００４】
【発明が解決しようとする課題】
上述したように、従来のインターネット通信システムにあっては、ウエブブラウザ上に表示されているウエブアドレスをクリックすると、そのそのアドレスのホームページに移行してこれを開く（見る）ことができるものの、電話に関しては配慮されていなかった。つまり、ホームページやメール上に表示されている電話番号をクリックしても、その電話番号の相手先へ電話することができず、そのため、その相手先に電話するには、電話をいちいち操作して入力することで、相手先と通信を行うようになっており、表示されている電話番号を覚えなくてはならなかったり、メモしてその電話番号に基づいて電話をかけているのが現状である。
【０００５】
一方、近年では、パーソナルコンピュータにＩＰ電話と呼ばれるインターネット電話が設けられ、コンピュータネットワーク網を利用することで電話通信を行えるものが開発されている。このようなインターネット電話は、ＩＳＰとの契約により生じる料金と、ＩＳＰまでの電話料金だけで通話を行うことができ、長距離電話代や国際電話代が安価となる等の利点がある。
しかしながら、インターネット電話のユーザーは、相手先のＩＰアドレスやホストシステム名等の詳細なデータを予め入力しなければ使用することができず、コンピュータに詳しい熟練者しか利用できなかった。
【０００６】
更に、一部のプロバイダーがインターネット通信システムを利用して電話をも行えるようにしたものが出現しているものの、この種のインターネット用接続器にはＰＣを接続する他、特殊なスプリッタを介して電話機を接続しているだけであって電話機とＰＣとが分離されているので、ウエブブラウザ上から電話通信を行うことができず、インターネット通信と電話通信とがそれぞれ独立したものとなっていることから、表示されている電話番号の相手先と電話通信する場合には、通常の電話をかける場合と同様に操作しなければならなかった。
【０００７】
本発明の目的は、上記従来技術の問題点に鑑み、ウエブブラウザ上で表示されている電話番号の相手先に簡単に電話をかけることができ、以て使い勝手の向上を図ることができるインターネット通信システムを提供することにある。
【０００８】
【課題を解決するための手段】
上記課題を解決するために本発明においては、以下の手段を採用している。
即ち、請求項１に係る発明は、コンピュータネットワーク網に接続されたコンピュータと、該コンピュータに接続された電話機とを備え、互いにコンピュータ間でインターネットを行うインターネット通信システムであって、
ウエブアドレス及びメールアドレス上に表示されている電話番号の箇所をクリックした時点で、前記表示されている電話番号の相手先へ前記電話機で発呼するＩＰ電話手段を備えることを特徴とする。
【０００９】
本発明によれば、ウエブアドレス及びメールアドレス上に表示されている電話番号の箇所をクリックした時点で、当該電話番号の相手先と電話で通信することができ、これにより、相手先のＩＰアドレスやホストシステム名等の詳細を知らなくとも相手先と電話をすることができるのは勿論、いちいち電話番号を記憶しておいたりメモしたりして、その番号で電話機を操作したりすることで電話をかけることが不要になり、ユーザーの使い勝手が良好となる。
【００１０】
請求項２に係る発明は、請求項１記載のインターネット通信システムにおいて、前記ＩＰ電話手段は、前記電話番号の箇所がクリックされた時点で、該電話番号をハイパーリンク機能により書き込むと共に、ホットリンク機能により前記電話番号の相手先にＩＰ電話をかけるように構成されていることを特徴とする。
【００１１】
本発明によれば、電話番号の箇所がクリックされた時点で、その電話番号がハイパーリンク機能によって書き込まれると共に、その電話番号の相手先にホットリンク機能が働くことでＩＰ電話をかけることができるので、ウエブアドレスやメールアドレスのアクセスの場合と同様、ＩＰ電話を確実にかつ簡単にかけることができる。
【００１２】
請求項３に係る発明は、請求項１または２記載のインターネット通信システムにおいて、前記電話番号の箇所は、少なくとも電話表記部とそれに続いて表示される番号表記部とからなっていることを特徴とする。
本発明によれば、ユーザーが見ただけで電話番号の表示である旨が理解できるので、ＩＰ電話を速やかにかけることができる。
【００１３】
【発明の実施の形態】
以下、本発明の実施の形態を図面に基づいて説明する。図１〜図４は本発明の一実施の形態に係るインターネット通信システムを示す図であって、図１はインターネット通信可能に接続されたパーソナルコンピュータを示す概略図、図２はウエブブラウザ上のホームページを示す説明図、図３はウエブブラウザ上に表示された電話番号をクリックしたときの説明図、図４は表示された電話番号を示す説明図である。
このインターネット通信システムは、図１に示すパーソナルコンピュータ１（以下、ＰＣと略称す）をインターネットワーク網に接続されることでインターネットが行えるようになっており、例えば図２に示すように、ウエブ（Ｗｅｂ）ブラウザ７によってホームページ（トップページ）を見ることができる一方、図示していないが、ウエブメールによってメールの送受信を行えるようになっている。
【００１４】
図１に示すＰＣ１は、詳細に図示してないがＣＰＵやメモリ、ハードディスク等が内蔵された本体２と、モニター３と、入力するためのキーボード４及びマウス５からなる入力部とが設けられ、本体２が電話回線若しくは光ファィバケーブルと接続されたモデム（或いはハブやルータ等）からなる接続器６と通信可能に接続されている。
【００１５】
そして、インターネット通信時、ＰＣ１にインストールされたハイパーリンク機能及びホットリンク機能が働くことにより、図２に示すように、ウエブブラウザ７上のホームページ等を開いたり、またホームページ上に表示されているウエブアドレス８やメールアドレス１０をマウス５のカーソル１２でクリックすると、そのウエブアドレス８の箇所へジャンプして移行することや、メールアドレス１０に対するメールの送受信が行えるようになっている他、図示していないが、メール上に表示されているウエブアドレスもへも移行できる等、ＰＣ１上でのインターネット通信が実現する。
【００１６】
ハイパーリンク機能は、文書内に埋め込まれた、他の文書や画像などの位置情報である。そして、このハイパーリンクを用いて複数の文書、および関連する画像などのオブジェクトを関連付けたシステムがハイパーテキストと呼ばれており、図２のウエブアドレス８にて示すように通常使われている「ＷＷＷ」が代表例であって、ウエブブラウザ上で文書を表示したり、リンクのある場所をマウス５でクリックすると、関連づけられたリンク先にジャンプして移行できるようになっている。
ホットリンク機能（クリッカブル  ＵＲＬ）は、ウエブブラウザ７上で青い文章のところ、或いは図２に示すように青い下線１１が引かれているメールアドレス１０の箇所をクリックすると、ウエブアドレス８やメールアドレス１０にアクセスできるようになっている。なお、図２において、符号９は電話番号である。
【００１７】
この実施形態においては、一般に使用されている電話機１３が接続器６と接続された状態にあるとき、ウエブブラウザ７上に表示されている電話番号９の相手先の電話機へ発呼できるＩＰ電話手段１４を備えている。
【００１８】
ＩＰ電話手段１４は、図３に示すように、ウエブブラウザ７上に表示されている電話番号９をマウス５のカーソル１２でクリックすると、その電話番号９がハイパーリンク機能によって書き込まれると共に、その電話番号９の相手先の電話機に対し、ホットリンク機能が働くことで電話機１３から電話をかけることができるようになっている。従って、ＩＰ電話手段１４は、図１に示す電話機１３と接続されているＰＣ１と、電話番号９に該当する電話機と接続されたコンピュータとの間において、ＰＣ１上で電話番号９がクリックされた時点で、ハイパーリンク機能によって電話番号９が書き込まれ、かつホットリンク機能によって電話番号９の相手先にアクセスされることにより、その電話番号９の相手先の電話機に電話機１３によって電話をかけることができるようになっている。
【００１９】
その際、ＰＣ１にインターネット通信用のソフトがインストールされた状態にあって、ブラウザソフト及びメールソフト（メーラー）の種類に関わることなく、使用しているＰＣ１の言語（国籍）毎に対応する番号がそれら国籍別に自動的に認識されて割り当てられるようにすることで、国内は勿論外国への電話通信も可能にすることが望ましい。
従って、このインターネット通信システムは、ウエブブラウザ上のウエブアドレス８及びメールアドレス１０をクリックしてアクセスできるのみならず、電話番号９をクリックすることで相手先に電話通信を行えるようになっている。
【００２０】
また、表示される電話番号９としては、例えば図４（ａ）に示すように、電話であることを表すための電話表記部９１と、その後に続いて表示される番号からなる番号表記部９２とからなっている。但し、電話表記部９１としては、図４（ａ）に示すものに限らず、同図（ｂ）に示すように漢字等が使用されてもよく、要は、電話番号である旨が判る通常の表記の仕方でよい。
なお、電話番号９は、図示例では図４（ａ）或いは（ｂ）に示すいずれも番号表記部９２の数字が１０桁となっているが、今後使用される予定となっている１１桁の数値にも対応するようになっているのは勿論である。
【００２１】
この実施形態のインターネット通信システムは、上記のように構成されているので、いま、図２に示すように、ウエブブラウザ７上のあるウエブアドレスに対応するホームページを見ているとき、そのホームページ上に表示されているウエブアドレス８をマウス５のカーソル１２を利用してクリックすると、ハイパーリンク機能が働くことで、そのウエブアドレス８にジャンプして移行することができ、また、青い下線が引かれているメールアドレス１０の箇所をクリックすると、ホットリンク機能が働くことでメールアドレス１０に対応してアクセスできることとなっている。
【００２２】
一方、ウエブブラウザ７上に表示されている電話番号９の相手先と電話連絡する必要が生じた場合には、図３に示すように、その表示されている電話番号９をマウス５のカーソル１２でクリックすると、ＩＰ電話手段１４が機能することで、図２に示すウエブアドレス８やメールアドレス１０をクリックした場合と同様、自分の電話機１３で相手先の電話番号９の電話機に電話を直接かけたときと全く同様の状態となり、電話通信を行うことができる。この場合、ウエブブラウザ７上の電話番号９だけでなく、メール上に記載されている電話番号（図示せず）の相手先にも上記と同様にして電話をかけることができる。
【００２３】
従って、この実施形態においては、ウエブブラウザ７上の電話番号９の箇所をクリックすることでＩＰ電話をかけることができるので、従来のようにユーザーが、相手先のＩＰアドレスやホストシステム名等の詳細なデータを入力したりすることが不要になるばかりでなく、ウエブブラウザ上に表示されている電話番号を覚えたり、メモしたりすることで電話をかけることが不要になり、簡単にＩＰ電話を行うことができる。
【００２４】
しかも、ＩＰ電話手段１４は、電話番号９の箇所がクリックされた時点で、その電話番号９がハイパーリンク機能によって書き込まれると共に、その電話番号９の相手先にホットリンク機能がアクセスすることでＩＰ電話をかけることができるので、ウエブアドレス８やメールアドレス１０のアクセスの場合と同様、ＩＰ電話を確実にかつ簡単にかけることができる。
【００２５】
また、表示されている電話番号９の箇所が、少なくとも電話表記部９１と番号表記部９２とからなっているので、見ただけで電話番号９の表示である旨が理解できる。そして、ＩＰ電話手段１４が、電話表記部９１と番号表記部９２とからなる電話番号９をクリックされると、それを認識してアクセスするので、その相手先の電話機を確実に発呼することができ、ＩＰ電話の使い勝手が高まる。
【００２６】
なお、図示実施の形態では、インターネット通信の場合にのみ適用した例を示したが、パソコン通信にも適用することができ、同様の効果が得られる。
また、ＩＰ電話で通信するため、マウス５のカーソル１２でクリックする例を示したが、これに限らず、キーボード４等の入力操作を行うことでもよく、要は、表示されている電話番号を指定する操作を行うことでよい。更に、電話機１３が接続器６に接続されてＩＰ電話を行えるようにした例を示したが、ＰＣ１の本体２に接続されて行えるようにしてもよいのは勿論である。
【００２７】
【発明の効果】
以上説明したように、本発明によれば、ウエブアドレス及びメールアドレス上に表示されている電話番号の箇所をクリックした時点で、ＩＰ電話手段により、該当電話番号の相手先を電話機で発呼するように構成したので、相手先のＩＰアドレスやホストシステム名等の詳細を知らなくとも相手先と電話をすることができるのは勿論、いちいち電話番号を記憶しておいたりメモしたりして、その番号で電話機を操作したりすることで電話をかけることが不要になり、ユーザーの使い勝手が良好となる効果が得られる。
【図面の簡単な説明】
【図１】本発明の一実施の形態に係るインターネット通信システムを示す図であって、インターネット通信可能に接続されたパーソナルコンピュータを示す概略図である。
【図２】ウエブブラウザ上のホームページを示す説明図である。
【図３】ウエブブラウザ上に表示された電話番号をクリックしたときの説明図である。
【図４】（ａ）は表示された電話番号の一例を示す説明図、（ｂ）は同じく表示された電話番号の他の例を示す説明図である。
【符号の説明】
１…コンピュータ（ＰＣ）
４…キーボード
５…マウス
７…ウエブブラウザ
８…ウエブアドレス（ホームページアドレス）
９…電話番号
９１…電話表記部
９２…番号表記部
１０…メールアドレス
１３…電話機
１４…ＩＰ電話手段
【図１】
2004266787.tif 000003
【図２】
2004266787.tif 000004
【図３】
2004266787.tif 000005
【図４】
2004266787.tif 000006